(57)【要約】【課題】上唇により上接続部が下方に押圧された場合、又は下唇により下接続部が上方に押圧された場合であっても、上接続部と下接続部との間に十分な間隔を確保して、空気孔から十分に空気を取り込んだり排出すること。【解決手段】口腔挿入具１は、ベース部１０の中央から前方に突出し、ベース部１０との間に上唇を挿入可能な間隔を設けてベース部１０に対して対向する対向壁部６４と、ベース部１０との間に下唇を挿入可能な間隔を設けてベース部１０に対向する対向壁部６５と、対向壁部６４とベース部１０とを接続する上接続部６２と、対向壁部６５とベース部１０とを接続すると共に上接続部６２に対して所定の間隔を設けて対向する下接続部６３と、を備える前方突出部６０と、前方突出部６０の左右側方において上接続部６２と下接続部６３との間に配置され、ベース部１０より前方に立設される移動規制部１１と、を有する。【選択図】図５
2017023230.tif 000002
【特許請求の範囲】
【請求項１】
全体が弾性変形可能であると共に口腔に挿入される口腔挿入具であって、
板状のベース部と、
前記ベース部の中央から後方に突出し、前記ベース部との間に上歯を挿入可能な間隔を設けて前記ベース部に対して対向する第１の対向壁部と、前記ベース部との間に下歯を挿入可能な間隔を設けて前記ベース部に対して対向する第２の対向壁部と、を備える後方突出部と、
前記ベース部の中央から前方に突出し、前記ベース部との間に上唇を挿入可能な間隔を設けて前記ベース部に対して対向する第３の対向壁部と、前記ベース部との間に下唇を挿入可能な間隔を設けて前記ベース部に対向する第４の対向壁部と、前記第３の対向壁部と前記ベース部とを接続する上接続部と、前記第４の対向壁部と前記ベース部とを接続すると共に前記上接続部に対して所定の間隔を設けて対向する下接続部と、を備える前方突出部と、
前記上接続部と前記下接続部との間に設けられ、前記ベース部を前後方向に貫通する空気孔と、
前記後方突出部の後端から下方及び後方に延設される帯状の舌小帯押圧板と、
前記前方突出部の左右側方において前記上接続部と前記下接続部との間に配置され、前記ベース部より前方に立設される移動規制部と、
を有することを特徴とする口腔挿入具。
【請求項２】
前記ベース部は、
前記空気孔の後端の開口縁部に沿って前記空気孔の内壁から前記空気孔に延設されると共に、前面が延設方向に沿って後方に傾斜する突出部を更に有する、
ことを特徴とする請求項１記載の口腔挿入具。
【請求項３】
前記上接続部及び前記下接続部の少なくとも一方は、
前方から見て前記空気孔に突出する突部を備える、
ことを特徴とする請求項１又は請求項２記載の口腔挿入具。
【請求項４】
前記空気孔よりも後方に設けられると共に前方から見て前記空気孔を分割するように設けられる分割壁を更に有し、
前記分割壁は、
前方から見て前記空気孔に突出する突出壁を備える、
ことを特徴とする請求項１から請求項３の何れかに記載の口腔挿入具。
【請求項５】
前記舌小帯押圧板は、
後端において後方に向けて上方に捲れ上がるように湾曲する押圧部を備える、
ことを特徴とする請求項１から請求項４の何れかに記載の口腔挿入具。
【請求項６】
前記押圧部は、
前後方向に沿って上方に立設されたリブを備える、
ことを特徴とする請求項５記載の口腔挿入具。
【請求項７】
前記前方突出部及び前記舌小帯押圧板を備え、前記ベース部に対して着脱自在に取り付けられる交換部材を更に有する、
ことを特徴とする請求項１から請求項６の何れかに記載の口腔挿入具。
【発明の詳細な説明】
【技術分野】
【０００１】
本発明は、口腔に挿入して気道を確保する口腔挿入具に関する。
【背景技術】
【０００２】
救命処置活動における要救助者は、失神等により脳からの指令が止まって弛緩した呼吸筋組織の影響で気道閉鎖を生じている場合がある。
【０００３】
特許文献１は、気道を確保するために口腔に挿入する口腔挿入具に関し、口内掛止主体と、その両側に設けた屈曲自在の折曲片と、口内掛止主体に設けた上接続部である上唇嵌合部、下接続部である下唇嵌合部、上歯嵌合溝及び下歯嵌合溝と、空気の侵入する空気孔と、押圧棒と、を有する構成を開示する。特許文献１の口腔挿入具は、口内掛止主体の両側の折曲溝を境として、内方に三つ折り状態に片手で曲げて、臼歯列に平行方向を保って口腔内に挿入し、挿入後に指を口腔内から抜くことにより、両翼の折曲片が元の状態に戻り、両頬を盛り上げる。これにより、救急蘇生時において陽圧をかけた際に、口腔及び頬の周囲に生じる窪みから空気が漏れ出すのを防止し、同時に口腔内に広い空間をつくることができる。また、特許文献１の口腔挿入具は、舌中隔を中心とする舌底部全体と舌横隔膜とを結ぶ部分を押圧棒により後方に押圧することで、舌の形態を変えることができる。
【０００４】
上記構成を有する特許文献の口腔挿入具によれば、口腔から喉頭までを構成する筋肉の互いの干渉関係を利用して、口峡と舌との間に空間を生じさせて気道を確保し、空気孔を介して要救助者等の肺に空気を送り込むことができる。
【先行技術文献】
【特許文献】
【０００５】
【特許文献１】特開２０１４−１８０５３０号公報
【発明の概要】
【発明が解決しようとする課題】
【０００６】
しかしながら、特許文献１においては、上接続部に対する上唇からの下方への押圧力が強い場合に上接続部が下方に大きく弾性変形し、又は、下接続部に対する下唇からの上方への押圧力が強い場合に下接続部が上方に大きく弾性変形して、上接続部と下接続部との間隔が狭くなり、上接続部又は下接続部により空気孔の前方が塞がれることにより、空気孔から十分に空気を取り込んだり排出することができないという課題を有する。
【０００７】
本発明の目的は、上唇により上接続部が下方に押圧された場合、又は下唇により下接続部が上方に押圧された場合であっても、上接続部と下接続部との間に十分な間隔を確保して、空気孔から十分に空気を取り込んだり排出することができる口腔挿入具を提供することである。
【課題を解決するための手段】
【０００８】
本発明に係る口腔挿入具は、全体が弾性変形可能であると共に口腔に挿入される口腔挿入具であって、板状のベース部と、前記ベース部の中央から後方に突出し、前記ベース部との間に上歯を挿入可能な間隔を設けて前記ベース部に対して対向する第１の対向壁部と、前記ベース部との間に下歯を挿入可能な間隔を設けて前記ベース部に対して対向する第２の対向壁部と、を備える後方突出部と、前記ベース部の中央から前方に突出し、前記ベース部との間に上唇を挿入可能な間隔を設けて前記ベース部に対して対向する第３の対向壁部と、前記ベース部との間に下唇を挿入可能な間隔を設けて前記ベース部に対向する第
４の対向壁部と、前記第３の対向壁部と前記ベース部とを接続する上接続部と、前記第４の対向壁部と前記ベース部とを接続すると共に前記上接続部に対して所定の間隔を設けて対向する下接続部と、を備える前方突出部と、前記上接続部と前記下接続部との間に設けられ、前記ベース部を前後方向に貫通する空気孔と、前記後方突出部の後端から下方及び後方に延設される帯状の舌小帯押圧板と、前記前方突出部の左右側方において前記上接続部と前記下接続部との間に配置され、前記ベース部より前方に立設される移動規制部と、を有する。
【０００９】
ベース部を歯牙又は上顎歯茎に当接させた状態で口腔に挿入し、上歯又は上顎歯茎を第１の対向壁部とベース部との間に挿入すると共に、下歯又は下顎歯茎を第２の対向壁部とベース部との間に挿入し、上唇を第３の対向壁部とベース部との間に挿入すると共に、下唇を第４の対向壁部とベース部との間に挿入し、更に、舌小帯押圧板の押圧部により舌小帯又は舌底部粘膜を押圧する場合において、上接続部が上唇により下方に押圧された際、又は、下接続部が下唇により上方に押圧力された際に、上唇又は下唇が移動規制部に当接して上唇又は下唇の移動を阻止して、上唇の押圧力による上接続部の下方への弾性変形、又は下唇の押圧力による下接続部の上方への弾性変形を規制することにより、上接続部と下接続部との間隔を十分に確保する。
【発明の効果】
【００１０】
本発明によれば、上唇により上接続部が下方に押圧された場合、又は下唇により下接続部が上方に押圧された場合であっても、上接続部と下接続部との間に十分な間隔を確保して、空気孔から十分に空気を取り込んだり排出することができる。
【図面の簡単な説明】
【００１１】
【図１】本発明の実施形態に係る口腔挿入具の斜視図である。
【図２】本発明の実施形態に係る口腔挿入具の正面図である。
【図３】本発明の実施形態に係る口腔挿入具の背面図である。
【図４】本発明の実施形態に係る口腔挿入具の平面図である。
【図５】図４のＡ−Ａ断面図である。
【図６】本発明の実施形態における空気孔の背面側から見た拡大斜視図である。
【図７】本発明の実施形態における交換部材の側面図である。
【図８】本発明の実施形態における交換部材の平面図である。
【図９】本発明の実施形態における舌小帯押圧板の押圧部の側面図である。
【図１０】本発明の実施形態に係る口腔挿入具を口腔に挿入した状態の断面図である。
【図１１】本発明の実施形態に係る口腔挿入具を口腔に挿入した状態の正面図である。
【発明を実施するための形態】
【００１２】
以下、図面を適宜参照して、本発明の実施形態に係る口腔挿入具につき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００１３】
＜口腔挿入具の構成＞
本発明の実施形態に係る口腔挿入具１につき、図１から図９を参照しながら、以下に詳細に説明する。
【００１４】
口腔挿入具１は、弾力性のある合成樹脂により一体に形成されており、全体が弾性変形可能になっている。ここで、口腔挿入具１を形成する合成樹脂としては、スチレン系・エラストマー、ポリエステル・エラストマー、シリコンゴム、ポリエチレン又は塩化ビニルを例示する。
【００１５】
口腔挿入具１は、ベース部１０と、後方支柱部２０と、引っ張り紐３０と、交換部材７０と、を有している。なお、図３から図５では、引っ張り紐３０の記載を省略している。
【００１６】
ベース部１０は、板状であり、図４に示すように、左右方向の端部から中央部に向けて徐々に前方に突出する湾曲状になっている。ベース部１０の中央には、板厚方向である前後方向に貫通する複数の空気孔１３、空気孔１４及び空気孔１５が設けられている。ベース部１０には、他の部分よりも肉厚である肉厚部１９が左右方向の端部側に形成されている。ベース部１０には、前方突出部６０の左右側方において上接続部６２と下接続部６３との間に配置される一対の板状の移動規制部１１が設けられている。移動規制部１１は、ベース部１０の肉厚部１９と前方突出部６０との間に設けられ、ベース部１０より前方に立設されている。ベース部１０の上端の中央には、内方に切り欠かれた切り欠き部１７が設けられている。ベース部１０の上端の反対側の下端の中央には、内方に切り欠かれた切り欠き部１８が設けられている。
【００１７】
空気孔１３、空気孔１４及び空気孔１５は、上接続部６２と下接続部６３との間に設けられ、左右方向に沿って各々間隔を設けて配列している。空気孔１４及び空気孔１５は、空気孔１３の左右に設けられている。ベース部１０には、空気孔１４の後端の開口縁部１４２に沿って空気孔１４の内壁１０１から空気孔１４に延設される突出部１４１が設けられていると共に、空気孔１４と同様に空気孔１５の後端の開口縁部１５２に沿って空気孔１５の内壁１０２から空気孔１５に延設される突出部１５１が設けられている。
【００１８】
突出部１４１及び突出部１５１は、前面が延設方向に沿って後方に傾斜している（図６参照）。突出部１４１は、後面から見て四角形状の空気孔１４の内壁１０１により形成される四つ角に各々設けられている。突出部１５１は、背面から見て四角形状の空気孔１５の内壁１０２により形成される四つ角に各々設けられている。
【００１９】
ベース部１０には、後面から後方及び外方に延設された一対の空気隔壁板１２が設けられている。一対の空気隔壁板１２は、左右に対向して設けられている。一対の空気隔壁板１２の互いに対向する対向面の各々は、後方から見て空気孔１４の右内壁面に連続して形成され、後方から見て空気孔１５の左内壁面に連続して形成されている。
【００２０】
後方支柱部２０は、ベース部１０と一体に形成されていると共に、ベース部１０の中央において後方に突出して設けられている。後方支柱部２０には、ベース部１０の中央から後方に立設される立設部２２と、立設部２２の後端から上方に延設されると共に、ベース部１０との間に上歯又は上顎歯茎を挿入可能な間隔を設けてベース部１０に対向する第１の対向壁部である対向壁部２１と、が形成されている。ベース部１０の後面、立設部２２の上面及び対向壁部２１の前面には、上歯茎受台２４が設けられている（図５参照）。後方支柱部２０には、前端から後端に延設されて空気孔１３に連通する凹部２３が形成されている（図３参照）。
【００２１】
引っ張り紐３０は、一対設けられ、対向壁部６４及び対向壁部６５に各々一体に取り付けられている。一対の引っ張り紐３０は、正面から見て、対向壁部６４から右斜め上方に延設されていると共に、対向壁部６５から左斜め下方に延設されている。
【００２２】
交換部材７０は、図５の間隔Ｄの異なるベース部１０に着脱自在に取り付けられている。交換部材７０は、図７及び図８に示すように、舌小帯押圧板５０と、前方突出部６０と、中間部８０と、を備えている。
【００２３】
舌小帯押圧板５０は、帯状であり、中間部８０の後端から後方及び下方に延設されてい
る。舌小帯押圧板５０の後端には、押圧部５１が設けられている。押圧部５１は、図９に示すように、仮想中心点Ｓ１を中心とする仮想円Ｐ１の円周に沿って後方に向けて上方に捲くれ上がる湾曲した形状を有している。押圧部５１には、前後方向に沿って上方に立設されたリブ５２が設けられている。
【００２４】
前方突出部６０は、ベース部１０の中央から前方に突出している。前方突出部６０は、当接部６１と、上接続部６２と、下接続部６３と、対向壁部６４と、対向壁部６５と、を備えている。
【００２５】
当接部６１は、板状であり、ベース部１０に当接して設けられている。当接部６１には、板厚方向に貫通して空気孔１３に連通する貫通孔６６が設けられている。当接部６１には、板厚方向に貫通して空気孔１４に連通する貫通孔７１が設けられている。当接部６１には、板厚方向に貫通して空気孔１５に連通する貫通孔７２が設けられている。貫通孔６６、貫通孔７１及び貫通孔７２は、上接続部６２と下接続部６３との間に設けられ、左右方向に沿って各々間隔を設けて配列している。
【００２６】
上接続部６２は、貫通孔６６、貫通孔７１、貫通孔７２、空気孔１３、空気孔１４及び空気孔１５より上方において下接続部６３に対向して設けられ、対向壁部６４と当接部６１とを接続している。上接続部６２は、下接続部６３との対向面である下面より下方に突出すると共に前方から見て空気孔１３及び貫通孔６６に突出する突部６７を備えている。
【００２７】
下接続部６３は、貫通孔６６、貫通孔７１、貫通孔７２、空気孔１３、空気孔１４及び空気孔１５より下方において上接続部６２に対向して設けられ、対向壁部６５と当接部６１とを接続している。下接続部６３は、上接続部６２との対向面である上面より上方に突出すると共に前方から見て空気孔１３及び貫通孔６６に突出する突部６８を備えている。突部６７と突部６８とは、上下に対向する位置に設けられている。
【００２８】
第３の対向壁部である対向壁部６４は、上接続部６２の前端から上方に延設され、ベース部１０との間に上唇を挿入可能な間隔を設けてベース部１０に対して対向して設けられている。
【００２９】
第４の対向壁部である対向壁部６５は、下接続部６３の前端から下方に延設され、ベース部１０との間に下唇を挿入可能な間隔を設けてベース部１０に対して対向して設けられている。
【００３０】
中間部８０は、舌小帯押圧板５０と前方突出部６０との間に設けられている。中間部８０には、後端から下方に向けて延設され、ベース部１０との間に下歯又は下顎歯茎を挿入可能な間隔を設けてベース部１０に対して対向する第２の対向壁部である対向壁部８１が設けられている。中間部８０の下面及び対向壁部８１の前面には、下歯茎受台８４が設けられている（図５参照）。中間部８０には、空気孔１３及び貫通孔６６よりも後方に設けられると共に前方から見て空気孔１３及び貫通孔６６を上下に分割するように設けられる分割壁８２が設けられている（図２参照）。中間部８０は、ベース部１０の空気孔１３を貫通して設けられると共に凹部２３に収納されている。後方支柱部２０及び中間部８０は、後方突出部を形成している。
【００３１】
分割壁８２の下面には、下方に突出して前方から見て空気孔１３及び貫通孔６６に突出する突出壁８３が一対形成されている。一対の突出壁８３は、図８に示すように、互いに前方から後方に向けて徐々に離れて、下方から見てハの字になるように形成されている。なお、突出壁８３は、単数形成してもよいし、又は３つ以上形成してもよい。また、突出壁８３は、下方から見てハの字以外の配置になるように形成してもよい。
【００３２】
＜口腔挿入具の使用方法＞
本発明の実施形態に係る口腔挿入具１の使用方法につき、図１０及び図１１を参照しながら、以下に詳細に説明する。
【００３３】
まず、救命処置活動の要救助者が気道閉鎖を生じている場合に、救命処置活動を行う者は、ベース部１０を内方に弾性変形させて要救助者の口腔に口腔挿入具１を挿入する。口腔挿入具１は、図１０に示すように、ベース部１０を歯牙及び歯肉に当接させた状態で口腔に挿入される。ベース部１０を、左右方向の端部から中央部に向けて徐々に前方に突出する湾曲状且つ板状にすることにより、傷つき易い口腔内粘膜を傷つけないようにすることができ、痛みを生じないようにすることができる。
【００３４】
口腔挿入具１が口腔に挿入されることにより、対向壁部２１とベース部１０との間に要救助者の上歯２が挿入されると共に、対向壁部８１とベース部１０との間に要救助者の下歯３が挿入される。上歯茎受台２４及び下歯茎受台８４を設けることにより、要救助者の歯の有無に関わらず、対向壁部２１とベース部１０との間に上歯２を安定して保持することができると共に、対向壁部８１とベース部１０との間に下歯３を安定して保持することができる。
【００３５】
また、対向壁部６４とベース部１０との間に要救助者の上唇５が挿入されると共に、対向壁部６５とベース部１０との間に要救助者の下唇６が挿入される。
【００３６】
また、要救助者の上唇小帯が切欠き部１７に係合すると共に、要救助者の下唇小帯が切欠き部１８に係合する。ベース部１０に切欠き部１７及び切欠き部１８を設けることにより、口腔挿入具１を要救助者の口腔にガタツキ無く挿入することができる。また、ベース部１０に切欠き部１７及び切欠き部１８を設けることにより、ベース部１０の切欠き部１７及び切欠き部１８よりも正面から見て右側の部分と、ベース部１０の切欠き部１７及び切欠き部１８よりも正面から見て左側の部分と、を個別に動かすことができるため、要救助者の左右の頬を盛り上げるために必要な弾性力が異なる場合であっても、要救助者の両頬を確実に盛り上げて、口腔又は頬に陽圧漏れの原因となるような窪みを生じないようにすることができると共に、口腔に広い空間を確保することができる。
【００３７】
また、舌小帯押圧板５０の押圧部５１は、舌小帯８又は舌底部粘膜を押圧して舌小帯８を後方に押し下げ、舌７の全体を上方に押し上げることにより舌中隔を刺激して舌７の全体を丸めて上方に移動させる。特に、押圧部５１は、舌根部分を丸めて上方に移動させる。これにより、舌根が気道内に沈下し易いことで起きる気道狭窄を防止することができ、気道を確保することができる。オトガイ棘から舌小帯８までの距離の短い女性又は小児等が要救助者の場合には、押圧部５１が後方に向けて上方に捲れ上がるように湾曲していることにより、押圧部５１が舌小帯８又は舌底部粘膜により前方に押圧されて更に上方に捲くれ上がるように弾性変形する。これにより、口腔挿入具１の使用者は、舌小帯押圧板５０が弾性変形する際に痛みを伴わない。この際、押圧部５１にリブ５２を設けることにより、押圧部５１の強度を向上させるので、押圧部５１を円滑に上方へ弾性変形させることができる。一方、オトガイ棘から舌小帯８までの距離の長い成人男性等が要救助者の場合には、押圧部５１が舌小帯８又は舌底部粘膜に当接して、押圧部５１により舌小帯８又は舌底部粘膜を確実に押圧する。この際、押圧部５１にリブ５２を設けることにより、押圧部５１の強度を向上させるので、舌小帯８又は舌底部粘膜を押圧部５１により所定の押圧力で確実に押圧することができる。
【００３８】
更に、対向壁部６４の後面が上唇５の外側に当接すると共に対向壁部６５の後面が下唇６の外側に当接して、口腔挿入具１の口腔内への移動を阻止することができるため、口腔
挿入具１全体が無意識下の要救助者の口腔の奥に入ってしまうことを防ぐことができ、安全に口腔挿入具１を使用することができる。
【００３９】
救命処置活動を行う者が要救助者の口腔に口腔挿入具１を挿入後に指を口腔から抜くことにより、口腔挿入具１の左右両端が弾性復帰力により元の状態に戻り、要救助者の両頬を盛り上げて、口腔又は頬に陽圧漏れの原因となるような窪みを生じないようにすると共に、口腔内に広い空間をつくる。ベース部１０の左右両端に肉厚部１９を設けることにより、要救助者の両頬を盛り上げるための弾性力を十分に得ることができる。
【００４０】
要救助者に対して口腔挿入具１を挿入した状態において、上接続部６２が要救助者の上唇５により下方に押圧された際、又は、下接続部６３が要救助者の下唇６により上方に押圧された際に、図１１に示すように、上唇５又は下唇６が移動規制部１１に当接して上唇５又は下唇６の移動を移動規制部１１により阻止して、上唇５の押圧力による上接続部６２の下方への弾性変形、又は下唇６の押圧力による下接続部６３の上方への弾性変形を規制する。これにより、要救助者の口腔に口腔挿入具１を挿入した際に、上接続部６２と下接続部６３との間隔を十分に確保することができ、空気孔１３、空気孔１４及び空気孔１５の前方側が上接続部６２又は下接続部６３により塞がれないようにして、空気孔１３、空気孔１４及び空気孔１５を介して十分に空気を吸入又は排出することができる。また、上接続部６２と下接続部６３とにより上下から上唇５又は下唇６が挟まれないようにすることができる。
【００４１】
前方突出部６０の左右側方に移動規制部１１を配置することにより、上接続部６２及び下接続部６３が弾性変形する際に移動規制部１１に干渉しないため、上接続部６２が空気孔１３、空気孔１４及び空気孔１５を塞がない程度に下方に若干弾性変形可能であると共に、下接続部６３が空気孔１３、空気孔１４及び空気孔１５を塞がない程度に上方に若干弾性変形可能である。これにより、上接続部６２及び下接続部６３の弾性復帰力により口腔挿入具１を要救助者の唇に密着させることができ、空気孔１３、空気孔１４及び空気孔１５を介して効率よく空気を吸入及び排出させることができる。
【００４２】
ベース部１０に空気孔１３を設けると共に当接部６１に貫通孔６６を設けることにより、口腔挿入具１を挿入された要救助者は、空気孔１３及び貫通孔６６を介して空気を十分に吸入又は排出することができる。また、ベース部１０に空気孔１４を設けると共に当接部６１に貫通孔７１を設けることにより、口腔挿入具１を挿入された要救助者は、空気孔１４及び貫通孔７１を介して空気を十分に吸入又は排出することができる。更に、ベース部１０に空気孔１５を設けると共に当接部６１に貫通孔７２を設けることにより、口腔挿入具１を挿入された要救助者は、空気孔１５及び貫通孔７２を介して空気を十分に吸入又は排出することができる。
【００４３】
上接続部６２に前方から見て空気孔１３及び貫通孔６６に突出する突部６７を設けると共に、下接続部６３に前方から見て、空気孔１３及び貫通孔６６に突出する突部６８を設けることにより、外部から貫通孔６６及び空気孔１３を介して口腔に吸入される空気の流速、又は、口腔から空気孔１３及び貫通孔６６を介して外部に排出される空気の流速を速くすることができる。これにより、口腔挿入具１を挿入された要救助者は、空気孔１３及び貫通孔６６を通過する空気の流れが乱流となり、空気孔１３及び貫通孔６６を介して迅速に大量の空気を吸入又は排出することができる。
【００４４】
前方から見て空気孔１３及び貫通孔６６を上下に分割するように分割壁８２を設けると共に、分割壁８２に前方から見て空気孔１３及び貫通孔６６に突出する突出壁８３を設けることにより、外部から貫通孔６６及び空気孔１３を介して口腔に吸入される空気の流速、又は、口腔から空気孔１３及び貫通孔６６を介して外部に排出される空気の流速を速く
することができる。これにより、空気孔１３及び貫通孔６６を通過する空気の流れが乱流となり、口腔挿入具１を挿入された要救助者は、空気孔１３及び貫通孔６６を介して迅速に大量の空気を吸入又は排出することができる。
【００４５】
空気孔１４の周囲の内壁１０１の後端に突出部１４１を設け、更に突出部１４１の前面を延設方向に沿って後方に傾斜させると共に、空気孔１５の周囲の内壁１０２の後端に突出部１５１を設け、更に突出部１５１の前面を延設方向に沿って後方に傾斜させることにより、外部から空気孔１４及び貫通孔７１と空気孔１５及び貫通孔７２とを介して取り込まれる空気の流速、及び、口腔から空気孔１４及び貫通孔７１と空気孔１５及び貫通孔７２を介して外部に排出される空気の流速を速くすることができる。これにより、空気孔１４及び貫通孔７１を通過する空気の流れが乱流となり、口腔挿入具１を挿入された要救助者は、空気孔１４及び貫通孔７１を介して迅速に空気を吸入又は排出することができる。また、外部から貫通孔７２及び空気孔１５を介して口腔に吸入される空気の流速、又は、口腔から空気孔１５及び貫通孔７２を介して外部に排出される空気の流速を早くすることができるので、空気孔１５及び貫通孔７２を通過する空気の流れが乱流となり、口腔挿入具１を挿入された要救助者は、空気孔１５及び貫通孔７２を介して迅速に大量の空気を吸入又は排出することができる。
【００４６】
上接続部６２と下接続部６３との間に移動規制部１１を設けることにより、前方突出部６０の左右側方から上接続部６２と下接続部６３との間に流入する空気を、移動規制部１１により阻止して減少させることができ、前方から空気孔１３、空気孔１４及び空気孔１５に空気を流入し易くすることができる。
【００４７】
一対の空気隔壁板１２の互いに対向する対向面を、後方から見て空気孔１４の右内壁面に連続して形成し、後方から見て空気孔１５の左内壁面に連続して形成することにより、空気孔１４及び空気孔１５を流れる空気を前後方向に円滑に流すことができる。
【００４８】
要救助者に適した図５の間隔Ｄのベース部１０を選択して交換部材７０を取り付けることにより、要救助者の状態に応じて咬合を異ならせることができる。
【００４９】
本実施形態によれば、前方突出部６０の左右側方において上接続部６２と下接続部６３との間に配置され、ベース部１０より前方に立設される移動規制部１１を設けることにより、上唇により上接続部６２が下方に押圧された場合、又は下唇により下接続部６３が上方に押圧された場合であっても、上接続部６２と下接続部６３との間に十分な間隔を確保して、空気孔１３、空気孔１４及び空気孔１５から十分に空気を取り込んだり排出することができる。
【００５０】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００５１】
具体的には、前方突出部６０の左右側方に移動規制部１１を設けたが、空気孔１３、空気孔１４及び空気孔１５の左右側方であって上接続部６２と下接続部６３との間に移動規制部１１を設けてもよい。
【００５２】
また、上接続部６２と下接続部６３との間に移動規制部１１を設けたが、前方突出部６０の左右側方において上接続部６２の上端と下接続部６３の下端との間に移動規制部１１を設けてもよく、上接続部６２及び下接続部６３の許容される弾性変形の変形量に応じて移動規制部１１の上下方向の長さを設定することができる。
【００５３】
また、移動規制部１１を矩形の板状にしたが、円錐状、円柱状又は多角形の板状等の任意の形状にすることができる。
【００５４】
また、突出部１４１及び突出部１５１を後方から見て四角形にしたが、突出部１４１及び突出部１５１を後方から見て三角形等の四角形以外の形状にすることができる。また、四つ角に設けた突出部１４１及び突出部１５１の各々を全て同一形状にしたが、四つ角に設ける突出部１４１及び突出部１５１の各々について、一部又は全部を異なる形状にしてもよい。
【００５５】
また、交換部材７０をベース部１０に対して着脱自在に取り付けたが、交換部材７０とベース部１０とを一体に形成してもよい。
【産業上の利用可能性】
【００５６】
本発明に係る口腔挿入具は、口腔に挿入して気道を確保するのに好適である。
【符号の説明】
【００５７】
１  口腔挿入具
２  上歯
３  下歯
５  上唇
６  下唇
７  舌
８  舌小帯
１０  ベース部
１１  移動規制部
１２  空気隔壁板
１３  空気孔
１４  空気孔
１５  空気孔
１７  切り欠き部
１８  切り欠き部
１９  肉厚部
２０  後方支柱部
２１  対向壁部
２２  立設部
２３  凹部
２４  上歯茎受台
３０  紐
５０  舌小帯押圧板
５１  押圧部
５２  リブ
６０  前方突出部
６１  当接部
６２  上接続部
６３  下接続部
６４  対向壁部
６５  対向壁部
６７  突部
６８  突部
６９  貫通孔
７０  交換部材
７１  貫通孔
７２  貫通孔
８０  中間部
８１  対向壁部
８２  分割壁
８３  突出壁
８４  下歯茎受台
１０１  内壁
１０２  内壁
１４１  突出部
１５１  突出部
【図１】
2017023230.tif 000003
【図２】
2017023230.tif 000004
【図３】
2017023230.tif 000005
【図４】
2017023230.tif 000006
【図５】
2017023230.tif 000007
【図６】
2017023230.tif 000008
【図７】
2017023230.tif 000009
【図８】
2017023230.tif 000010
【図９】
2017023230.tif 000011
【図１０】
2017023230.tif 000012
【図１１】
2017023230.tif 000013